(57)【要約】【課題】商品情報の変更があった場合であっても、オークション会場に出向けない入札者の不利益を回避すること。【解決手段】オークションに出品される車輌の車輌情報を事前に入札者に閲覧させ、車輌情報に基づいて決定された車輌に関してオークションの自動入札の登録を受け付け、車輌情報が変更された場合、入札者が携帯する携帯端末８０1へ移動体ネットワーク６０および無線基地局７０を介して変更内容を通知し、自動入札の要否を問い合わせ、自動入札の要否の問い合わせ結果に基づいて、変更後の自動入札の再登録を受け付ける制御部５１を備えている。【選択図】        図１
2005078435.tif 000002
【特許請求の範囲】
【請求項１】
オークションに出品される商品の商品情報を事前に入札者に閲覧させる閲覧工程と、
前記商品情報に基づいて決定された商品に関してオークションの自動入札の登録を受け付ける登録工程と、
前記商品情報が変更された場合、前記入札者の端末へ変更内容を通知し、前記自動入札の要否を問い合わせる問い合わせ工程と、
前記自動入札の要否の問い合わせ結果に基づいて、変更後の前記自動入札の再登録を受け付ける再登録受け付け工程と、
をコンピュータに実行させるためのオークション支援プログラム。
【請求項２】
前記商品情報が変更された場合、前記自動入札の登録を取り消す登録取り消し工程を含み、前記再登録受け付け工程では、前記自動入札が要である場合に、変更後の前記自動入札の再登録を受け付けることを特徴とする請求項１に記載のオークション支援プログラム。
【請求項３】
前記商品情報が変更された場合、商品情報データベースから変更前の商品情報に類似する他の商品情報を検索し、検索結果を前記端末へ通知する類似検索工程を含むことを特徴とする請求項１または２に記載のオークション支援プログラム。
【請求項４】
前記商品情報が変更された場合、商品情報データベースから変更後の商品情報に類似する他の商品情報を検索し、検索結果を前記端末へ通知する類似検索工程を含むことを特徴とする請求項１または２に記載のオークション支援プログラム。
【請求項５】
前記端末は、携帯端末であることを特徴とする請求項１〜４のいずれか一つに記載のオークション支援プログラム。
【発明の詳細な説明】
【技術分野】
【０００１】
本発明は、例えば、中古車輌のオークションを支援するためのオークション支援プログラムに関するものであり、特に、商品情報の変更があった場合であっても、オークション会場に出向けない入札者の不利益を回避することができるオークション支援プログラムに関するものである。
【背景技術】
【０００２】
従来より、中古車輌業界においては、オークションにより、販売業者と購入業者との間で中古車輌（以下単に車輌と称する）が取引されている。オークションは、出品されている車輌に対して最高の入札金額を付けた者が落札できる競売方式である。オークションシステムにおいては、販売業者により、車輌の車名、グレード、型式、年式、評価点、色等からなる車輌情報が予め登録される。
【０００３】
登録された車輌情報は、オークションが開催される前に購入業者に公開される。従って、購入業者は、車輌情報に基づいて、オークション当日までに様々な観点より検討し、入札対象の車輌を決定する。
【０００４】
オークション当日においては、購入業者は、オークション会場へ出向いて、入札対象の車輌を実際に見分し、入札を行う。そして、最高額の入札を行った購入業者が当該車輌を落札して、当該車輌を購入する。
【０００５】
また、電子化されたオークションシステムにおいては、仕事の都合上、オークション当日にオークション会場に出向けない購入業者について、予め、上限の入札金額を登録しておき、購入業者に代わってシステム側が自動入札を行う機能を備えたものもある。
【０００６】
【特許文献１】特開２００１−２１６４４４号公報
【発明の開示】
【発明が解決しようとする課題】
【０００７】
しかしながら、従来においては、オークション当日に実際に出品された車輌に関する車輌情報と、事前に登録された車輌情報とが異なる場合が多くある。これは、登録ミス等に起因するものである。
【０００８】
ここで、オークション当日に、実際の車輌情報と登録された車輌情報とが異なることが発覚した場合には、オークション会場内の購入業者（入札者）に対して、入札開始までに車輌情報の変更がリアルタイムで報知されるため、大きな問題が発生しない。
【０００９】
しかしながら、オークション当日に、自動入札によりオークション会場に出向いていない購入業者に対しては、上記車輌情報の変更をリアルタイムに報知することが困難である場合が多い。
【００１０】
従って、オークション当日にオークション会場に出向けない購入業者にとっては、当日に車輌情報（商品情報）の変更があると、悪条件で車輌を購入してしまったり、全く望まない車輌を購入してしまうという事態となり極めて大きな不利益となる。例えば、人気色の車輌に入札したにもかかわらず、不人気色の車輌を落札する場合がこれにあたる。
【００１１】
本発明は、上記に鑑みてなされたものであって、商品情報の変更があった場合であっても、オークション会場に出向けない入札者の不利益を回避することができるオークション支援プログラムを提供することを目的とする。
【課題を解決するための手段】
【００１２】
上述した課題を解決し、目的を達成するために、本発明は、オークションに出品される商品の商品情報を事前に入札者に閲覧させる閲覧工程と、前記商品情報に基づいて決定された商品に関してオークションの自動入札の登録を受け付ける登録工程と、前記商品情報が変更された場合、前記入札者の端末へ変更内容を通知し、前記自動入札の要否を問い合わせる問い合わせ工程と、前記自動入札の要否の問い合わせ結果に基づいて、変更後の前記自動入札の再登録を受け付ける再登録受け付け工程と、をコンピュータに実行させるためのオークション支援プログラムである。
【００１３】
この発明によれば、オークションに出品される商品の商品情報が変更された場合、入札者の端末へ変更内容を通知し、自動入札の要否を問い合わせた結果に基づいて、変更後の自動入札の再登録を受け付けることとしたので、商品情報の変更があった場合であっても、オークション会場に出向けない入札者の不利益を回避することができる。
【発明の効果】
【００１４】
以上説明したように、本発明によれば、オークションに出品される商品の商品情報が変更された場合、入札者の端末へ変更内容を通知し、自動入札の要否を問い合わせた結果に基づいて、変更後の自動入札の再登録を受け付けることとしたので、商品情報の変更があった場合であっても、オークション会場に出向けない入札者の不利益を回避することができるという効果を奏する。
【００１５】
また、本発明によれば、商品情報が変更された場合、自動入札の登録を取り消し、入札者への問い合わせで自動入札が要である場合に、変更後の自動入札の再登録を受け付けることとしたので、商品情報の変更があった場合であっても、オークション会場に出向けない入札者の不利益を回避することができるという効果を奏する。
【００１６】
また、本発明によれば、商品情報が変更された場合、商品情報データベースから変更前の商品情報に類似する他の商品情報を検索し、検索結果を端末へ通知することとしたので、自動入札の登録を受け付けてから商品情報が変更されるまでの間に出品された他の商品情報が入札者へ提供され、入札者の選択の幅を広げることができるという効果を奏する。
【００１７】
また、本発明によれば、商品情報が変更された場合、商品情報データベースから変更後の商品情報に類似する他の商品情報を検索し、検索結果を端末へ通知することとしたので、変更後の商品情報に類似する他の商品情報が入札者に提供され、入札者の選択の幅を広げることができるという効果を奏する。
【００１８】
また、本発明によれば、端末を携帯端末としたので、リアルタイムに商品情報の変更が入札者へ報知され、購入機会を逃すという事態を回避することができるという効果を奏する。
【発明を実施するための最良の形態】
【００１９】
以下に、本発明にかかるオークション支援プログラムの一実施例を図面に基づいて詳細に説明する。なお、この一実施例によりこの発明が限定されるものではない。
【実施例】
【００２０】
図１は、本発明にかかる一実施例の構成を示す図である。同図には、車輌の販売業者と購入業者との間でオークションにより取引を行うためのオークションシステムが図示されている。同図において、オークション会場装置１０1〜１０nは、オークションがそれぞれ開催される第１会場〜第ｎ会場に設けられた装置であり、会場に出向いている購入業者からの入札の管理、車輌情報の管理等を行う。
【００２１】
オークション会場装置１０1において、制御部１１1は、装置各部を制御する。この制御部１１1の動作の詳細については、後述する。記憶部１２1は、各種パラメータ、各種情報を記憶する。通信部１３1は、ネットワーク４０に接続されており、所定の通信プロトコルに従って、オークション支援装置５０との間の通信を制御する。
【００２２】
個別車輌情報ＤＢ（データベース）１４1は、第１会場に出品されている車輌に関する車輌情報を格納するデータベースである。具体的には、個別車輌情報ＤＢ１４1は、図２に示したように、「出品番号」、「車名」、「グレード」、「型式」、「年式」、「評価点」、「色」等からなる車輌情報を格納している。購入業者は、車輌情報に基づいて、入札対象の車輌や、入札金額を検討する。
【００２３】
「出品番号」は、出品された車輌を一意に特定するための番号である。「車名」、「グレード」、「型式」および「年式」は、当該車輌の車名、グレード、型式および年式である。「評価点」は、当該車輌の状態（塗装面の状態、内装のへたり具合等）を点数で評価したものである。「色」は、車輌の色である。
【００２４】
図１に戻り、個別入札情報ＤＢ１５1は、第１会場に出品されている車輌の入札に関する入札情報を格納するデータベースである。具体的には、個別入札情報ＤＢ１５1は、図３に示したように、「登録番号」、「登録日時」、「入札ステータス」、「出品番号」、「会員番号」、「自動入札金額」、「買増金額」等の入札情報を格納するデータベースである。
【００２５】
「登録番号」は、自動入札に関する登録を一意に特定するための番号である。「登録日時」は、登録された日時である。「入札ステータス」は、登録、入札取消等を表す。「出品番号」は、入札対象の車輌に対応する出品番号であり、図２に示した「出品番号」に対応している。「会員番号」は、当該購入業者を一意に特定するための番号である。
【００２６】
「自動入札金額」は、自動入札による上限の入札金額である。「買増金額」は、自動入札金額を上回る入札があった場合に、自動入札金額に上乗せされる金額である。この上乗せ金額が最終的な入札金額の上限となる。
【００２７】
図１に戻り、表示装置２０1は、オークション会場装置１０1に接続された大型ディスプレイであり、オークションに関する各種情報を会場内の購入業者等へ報知するための装置である。会場端末３０1は、オークション会場装置１０1に接続されたコンピュータ端末であり、車輌情報の変更等に用いられる。
【００２８】
オークション会場装置１０n、表示装置２０nおよび会場端末３０nは、第ｎ会場に設けられており、オークション会場装置１０1、表示装置２０1および会場端末３０1と同一構成とされている。
【００２９】
オークション会場装置１０1〜１０nは、ネットワーク４０を介して、オークション支援装置５０に接続されている。オークション支援装置５０は、オークション会場装置１０1〜１０nの上位装置であり、各車輌情報や各入札情報を管理する機能や、第１会場〜第ｎ会場における車輌情報の変更を、会場外の購入者へ報知する機能等を備えている。
【００３０】
オークション支援装置５０において、制御部５１は、装置各部を制御する。この制御部５１の動作の詳細については、後述する。記憶部５２は、各種パラメータ、各種情報を記憶する。通信部５３は、ネットワーク４０に接続されており、所定の通信プロトコルに従って、オークション会場装置１０1〜１０nとの間の通信を制御する。
【００３１】
また、通信部５３は、移動体ネットワーク６０に接続されており、所定の通信プロトコルに従って、移動体ネットワーク６０および無線基地局７０を介して、携帯端末８０1〜８０mとの間の通信を制御する。携帯端末８０1〜８０mは、オークション当日に会場に出向けない購入業者に携帯される。携帯電話機、ＰＤＡ（Personal Digital Assistant）等である。これらの携帯端末８０1〜８０mには、会場における車輌情報の変更時の通知等に用いられる。
【００３２】
総合車輌情報ＤＢ５４は、オークション会場装置１０1〜１０nで管理されている各個別車輌情報ＤＢの車輌情報を格納するデータベースである。具体的には、総合車輌情報ＤＢ５４は、図４に示したように、「出品番号」、「車名」、「グレード」、「型式」、「年式」、「評価点」、「色」、「会場」等からなる車輌情報を格納している。「出品番号」〜「色」は、個別車輌情報ＤＢ１４1（図２参照）の「出品番号」〜「色」に対応している。「会場名」は、第１会場〜第ｎ会場のうちいずれかである。
【００３３】
総合入札情報ＤＢ５５は、オークション会場装置１０1〜１０nで管理されている各個別入札情報の入札情報を格納するデータベースである。具体的には、総合入札情報ＤＢ５５は、図５に示したように、「登録番号」、「登録日時」、「入札ステータス」、「出品番号」、「会員番号」、「自動入札金額」、「買増金額」、「会場」等の入札情報を格納するデータベースである。
【００３４】
「登録番号」〜「買増金額」は、個別入札情報ＤＢ１５1（図３参照）の「登録番号」〜「買増金額」に対応している。「会場」は、第１会場〜第ｎ会場のうちいずれかである。
【００３５】
つぎに、一実施例の動作について、図６〜図８に示したフローチャート、図９〜図１７に示した各画面を参照しつつ説明する。以下では、携帯端末８０1を携帯する購入業者が、第１会場で開催されるオークションに自動入札で参加（オークション当日に第１会場に出向かない）した場合に、入札対象の車輌に関する車輌情報が変更されたときの動作をメインに説明する。
【００３６】
図６に示したステップＳＡ１では、携帯端末８０1は、購入業者の操作に従って、無線基地局７０および移動体ネットワーク６０を介して、オークション支援装置５０にアクセスする。
【００３７】
ステップＳＡ２では、オークション支援装置５０の制御部５１は、図９に示した認証画面１００を携帯端末８０1の表示部に表示させる。ステップＳＡ３では、携帯端末８０1は、当該購入業者により、ログインボタン１０３が押下されたか否かを判断し、この場合、判断結果を「Ｎｏ」として、同判断を繰り返す。
【００３８】
そして、購入業者により、ユーザＩＤ入力欄１０１およびパスワード入力欄１０２にユーザＩＤおよびパスワードが入力された後、ログインボタン１０３が押下されると、携帯端末８０1は、ステップＳＡ３の判断結果を「Ｙｅｓ」とする。
【００３９】
ステップＳＡ４では、携帯端末８０1は、入力されたユーザＩＤおよびパスワードを認証情報としてオークション支援装置５０へ送信する。ステップＳＡ５では、オークション支援装置５０の制御部５１は、認証情報および認証情報ＤＢ（図示略）に基づいて、当該購入業者が本人であるか否かに関する認証処理を実行する。
【００４０】
ステップＳＡ６では、制御部５１は、認証されたか否かを判断する。ステップＳＡ６の判断結果が「Ｎｏ」である場合、一連の処理を終了する。この場合、ステップＳＡ６の判断結果が「Ｙｅｓ」であるとすると、ステップＳＡ７では、制御部５１は、図１０に示した出品車輌検索画面１１０を携帯端末８０1の表示部に表示させる。
【００４１】
ステップＳＡ８では、携帯端末８０1は、出品車輌検索画面１１０の検索ボタン１１２が押下されたか否かを判断し、この場合、判断結果を「Ｎｏ」として、同判断を繰り返す。そして、購入業者により、出品車輌検索画面１１０の出品番号入力欄１１１に出品番号が入力された後、検索ボタン１１２が押下されると、携帯端末８０1は、ステップＳＡ８の判断結果を「Ｙｅｓ」とする。
【００４２】
ステップＳＡ９では、携帯端末８０1は、出品番号をオークション支援装置５０へ送信する。ステップＳＡ１０では、オークション支援装置５０の制御部５１は、出品番号を検索キーとして、総合車輌情報ＤＢ５４（図４参照）を検索する。ステップＳＡ１１では、制御部５１は、検索結果（出品番号に対応する車輌情報）に対応する車輌検索結果画面１２０（図１１参照）を携帯端末８０1の表示部に表示させる。
【００４３】
この車輌検索結果画面１２０には、出品番号、車名、グレード、型式、年式、評価点、色等の車輌情報等が表示されている。ステップＳＡ１２では、携帯端末８０1は、はいボタン１２１またはいいえボタン１２２が押下されたか否かを判断し、この場合、判断結果を「Ｎｏ」として、同判断を繰り返す。
【００４４】
そして、購入業者は、車輌検索結果画面１２０に対応する車輌を自動入札対象として登録する場合、はいボタン１２１を押下する。一方、登録しない場合には、いいえボタン１２２が押下される。これにより、携帯端末８０1は、ステップＳＡ１２の判断結果を「Ｙｅｓ」とする。ステップＳＡ１３では、携帯端末８０1は、押下情報（はいボタン１２１またはいいえボタン１２２を押下という情報）をオークション支援装置５０へ送信する。
【００４５】
図７に示したステップＳＡ１４では、オークション支援装置５０の制御部５１は、押下情報に基づいて、はいボタン１２１が押下されたか否かを判断し、この場合、判断結果を「Ｙｅｓ」とする。なお、いいえボタン１２２が押下された場合には、判断結果を「Ｎｏ」として、一連の処理が終了する。
【００４６】
ステップＳＡ１５では、制御部５１は、図１２に示した登録画面１３０を携帯端末８０1の表示部に表示させる。この登録画面１３０は、当該車輌の自動入札に関する情報を登録するための画面である。ステップＳＡ１６では、携帯端末８０1は、登録ボタン１３１が押下されたか否かを判断し、この場合、判断結果を「Ｎｏ」として、同判断を繰り返す。
【００４７】
そして、購入業者は、登録画面１３０の自動入札金額入力欄１３２および買増金額入力欄１３３に自動入札金額および買増金額を入力した後、登録ボタン１３１を押下する。これにより、携帯端末８０1は、ステップＳＡ１６の判断結果を「Ｙｅｓ」とする。ステップＳＡ１７では、携帯端末８０1は、登録画面１３０に対応する入札情報（出品番号、車名、グレード、型式、年式、自動入札金額、買増金額）をオークション支援装置５０へ送信する。
【００４８】
ステップＳＡ１８では、オークション支援装置５０の制御部５１は、上記入札情報を総合入札情報ＤＢ５５に登録する。ステップＳＡ１９では、オークション支援装置５０は、図１３に示した登録完了画面１４０を携帯端末８０1の表示部に表示させる。これにより、購入業者は、入札情報の登録が完了したことを認識する。
【００４９】
ステップＳＡ２０では、制御部５１は、入札情報をオークション会場装置１０1へ送信する。ステップＳＡ２１では、オークション会場装置１０1の制御部１１1は、個別入札情報ＤＢ１５1に当該入札情報を登録する。
【００５０】
ステップＳＡ２２では、制御部１１1は、個別車輌情報ＤＢ１４1に格納されている車輌情報について会場端末３０1により変更されたか否かを判断し、この場合、判断結果を「Ｎｏ」とする。ステップＳＡ２３では、制御部１１1は、オークションが終了したか否かを判断し、この場合、判断結果を「Ｎｏ」とする。なお、ステップＳＡ２３の判断結果が「Ｙｅｓ」である場合、制御部１１1は、一連の処理を終了する。
【００５１】
ここで、オークション当日に、当該購入業者が自動入札する車輌に関する車輌情報が会場端末３０1により変更されると、制御部１１1は、ステップＳＡ２２の判断結果を「Ｙｅｓ」とする。ステップＳＡ２４では、制御部１１1は、当該車輌情報の変更内容に基づいて、個別車輌情報ＤＢ１４1を更新する。
【００５２】
ステップＳＡ２５では、制御部１１1は、変更後の車輌情報をオークション支援装置５０へ送信する。ステップＳＡ２６では、オークション支援装置５０の制御部５１は、変更後の車輌情報に基づいて、総合車輌情報ＤＢ５４を更新する。ステップＳＡ２７では、制御部５１は、総合入札情報ＤＢ５５（図５参照）の入札情報のうち、当該購入業者に対応する入札情報の入札ステータスを入札取消に設定し、入札を取り消すための処理を実行する。これにより、オークション支援装置５０側で自動入札が取り消される。
【００５３】
ステップＳＡ２８では、制御部５１は、オークション会場装置１０1へ入札取消を通知する。ステップＳＡ２９では、オークション会場装置１０1の制御部１１1は、個別入札情報ＤＢ１５1（図３参照）の入札情報のうち、当該購入業者に対応する入札情報の入札ステータスを入札取消に設定し、入札を取り消すための処理を実行する。これにより、オークション会場装置１０1側でも自動入札が取り消される。
【００５４】
ステップＳＡ３０では、オークション支援装置５０の制御部５１は、変更前（または変更後）の車輌情報と類似する車輌情報を総合車輌情報ＤＢ５４から検索するという類似車輌検索処理を実行する。この類似車輌の検索結果により、自動入札情報を登録した以降でさらに条件がよい車輌等を購入業者に提示することができ、購入条件の改善を行うことができる。
【００５５】
ステップＳＡ３１では、制御部５１は、車輌情報の変更内容、類似車輌検索結果に基づいて、図１４に示した車輌情報変更通知画面１５０を携帯端末８０1の表示部に表示させる。この車輌情報変更通知画面１５０には、車輌情報の変更内容、入札取消、ＵＲＬ（Uniform Resource Locator）１５１、類似検索結果が表示されている。ＵＲＬ１５１は、再登録のリンク先を表す。
【００５６】
図８に示したステップＳＡ３２では、携帯端末８０1は、再登録リンク（ＵＲＬ１５１）が指定されたか否かを判断する。ステップＳＡ３２の判断結果が「Ｎｏ」である場合、携帯端末８０1は、一連の処理を終了する。
【００５７】
この場合、購入業者によりＵＲＬ１５１が選択されると、携帯端末８０1は、ステップＳＡ３２の判断結果を「Ｙｅｓ」とする。ステップＳＡ３３では、携帯端末８０1は、ＵＲＬ１５１（オークション支援装置５０）にアクセスする。ステップＳＡ３４では、オークション支援装置５０の制御部５１は、図１５に示した再登録画面１６０を携帯端末８０1の表示部に表示させる。
【００５８】
再登録画面１６０には、車輌検索結果画面１２０（図１１参照）と同様にして、変更後の出品番号、車名、グレード、型式、年式、評価点、色等の車輌情報等が表示されている。ステップＳＡ３５では、携帯端末８０1は、はいボタン１６１またはいいえボタン１６２が押下されたか否かを判断し、この場合、判断結果を「Ｎｏ」として、同判断を繰り返す。
【００５９】
そして、購入業者は、再登録画面１６０に対応する車輌を自動入札対象として再登録する場合、自動入札金額および買増金額を入力後、はいボタン１６１を押下する。一方、登録しない場合には、いいえボタン１６２が押下される。これにより、携帯端末８０1は、ステップＳＡ３５の判断結果を「Ｙｅｓ」とする。ステップＳＡ３６では、携帯端末８０1は、押下情報（はいボタン１６１またはいいえボタン１６２を押下という情報）をオークション支援装置５０へ送信する。
【００６０】
ステップＳＡ３７では、オークション支援装置５０の制御部５１は、押下情報に基づいて、はいボタン１６１が押下されたか否かを判断し、この場合、判断結果を「Ｙｅｓ」とする。なお、いいえボタン１６２が押下された場合には、一連の処理が終了する。
【００６１】
ステップＳＡ３８では、制御部５１は、オークションが終了したか否かを判断し、この場合、判断結果を「Ｎｏ」とする。ステップＳＡ３９では、制御部５１は、総合入札情報ＤＢ５５に入札情報を再登録する。ステップＳＡ４０では、制御部５１は、図１６に示した再登録完了画面１７０を携帯端末８０1の表示部に表示させる。これにより、再登録された入札情報に従って、自動入札が実行される。
【００６２】
一方、ステップＳＡ３８の判断結果が「Ｙｅｓ」である場合、ステップＳＡ４１では、制御部５１は、図１７に示した再登録エラー画面１８０を携帯端末８０1の表示部に表示させる。この場合には、再登録がエラーとされ、自動入札が実行されない。
【００６３】
以上説明したように、一実施例によれば、オークションに出品される車輌の車輌情報が変更された場合、入札者の携帯端末８０1へ変更内容を通知し、自動入札の要否を問い合わせた結果に基づいて、変更後の自動入札の再登録を受け付けることとしたので、車輌情報の変更があった場合であっても、オークション会場に出向けない入札者の不利益を回避することができる。
【００６４】
また、一実施例によれば、車輌情報が変更された場合、総合車輌情報ＤＢ５４から変更前の車輌情報に類似する他の車輌情報を検索し、検索結果を携帯端末８０1へ通知することとしたので、自動入札の登録を受け付けてから車輌情報が変更されるまでの間に出品された他の車輌情報が入札者へ提供され、入札者の選択の幅を広げることができる。
【００６５】
また、一実施例によれば、車輌情報が変更された場合、総合車輌情報ＤＢ５４から変更後の車輌情報に類似する他の車輌情報を検索し、検索結果を携帯端末８０1へ通知することとしたので、変更後の車輌情報に類似する他の車輌情報が入札者に提供され、入札者の選択の幅を広げることができる。
【００６６】
また、一実施例によれば、携帯携帯端末８０1を用いているため、リアルタイムに車輌情報の変更が入札者へ報知され、購入機会を逃すという事態を回避することができる。
【００６７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【００６８】
例えば、前述した一実施例においては、図１に示したオークション支援装置５０、オークション会場装置１０1等の機能を実現するためのプログラムを図１８に示したコンピュータ読み取り可能な記録媒体３００に記録して、この記録媒体３００に記録されたプログラムを同図に示したコンピュータ２００に読み込ませ、実行することにより各機能を実現してもよい。
【００６９】
同図に示したコンピュータ２００は、上記プログラムを実行するＣＰＵ（Central Processing Unit）２１０と、キーボード、マウス等の入力装置２２０と、各種データを記憶するＲＯＭ（Read Only Memory）２３０と、演算パラメータ等を記憶するＲＡＭ（Random Access Memory）２４０と、記録媒体３００からプログラムを読み取る読取装置２５０と、ディスプレイ、プリンタ等の出力装置２６０とから構成されている。
【００７０】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【００７１】
（付記１）オークションに出品される商品の商品情報を事前に入札者に閲覧させる閲覧工程と、
前記商品情報に基づいて決定された商品に関してオークションの自動入札の登録を受け付ける登録工程と、
前記商品情報が変更された場合、前記入札者の端末へ変更内容を通知し、前記自動入札の要否を問い合わせる問い合わせ工程と、
前記自動入札の要否の問い合わせ結果に基づいて、変更後の前記自動入札の再登録を受け付ける再登録受け付け工程と、
をコンピュータに実行させるためのオークション支援プログラム。
【００７２】
（付記２）前記商品情報が変更された場合、前記自動入札の登録を取り消す登録取り消し工程を含み、前記再登録受け付け工程では、前記自動入札が要である場合に、変更後の前記自動入札の再登録を受け付けることを特徴とする付記１に記載のオークション支援プログラム。
【００７３】
（付記３）前記商品情報が変更された場合、商品情報データベースから変更前の商品情報に類似する他の商品情報を検索し、検索結果を前記端末へ通知する類似検索工程を含むことを特徴とする付記１または２に記載のオークション支援プログラム。
【００７４】
（付記４）前記商品情報が変更された場合、商品情報データベースから変更後の商品情報に類似する他の商品情報を検索し、検索結果を前記端末へ通知する類似検索工程を含むことを特徴とする付記１または２に記載のオークション支援プログラム。
【００７５】
（付記５）前記端末は、携帯端末であることを特徴とする付記１〜４のいずれか一つに記載のオークション支援プログラム。
【００７６】
（付記６）前記商品情報は、中古車輌に関する情報であることを特徴とする付記１〜５のいずれか一つに記載のオークション支援プログラム。
【００７７】
（付記７）オークションに出品される商品の商品情報を事前に入札者に閲覧させる閲覧工程と、
前記商品情報に基づいて決定された商品に関してオークションの自動入札の登録を受け付ける登録工程と、
前記商品情報が変更された場合、前記入札者の端末へ変更内容を通知し、前記自動入札の要否を問い合わせる問い合わせ工程と、
前記自動入札の要否の問い合わせ結果に基づいて、変更後の前記自動入札の再登録を受け付ける再登録受け付け工程と、
を含むことを特徴とするオークション支援方法。
【００７８】
（付記８）オークションに出品される商品の商品情報を事前に入札者に閲覧させる閲覧手段と、
前記商品情報に基づいて決定された商品に関してオークションの自動入札の登録を受け付ける登録手段と、
前記商品情報が変更された場合、前記入札者の端末へ変更内容を通知し、前記自動入札の要否を問い合わせる問い合わせ手段と、
前記自動入札の要否の問い合わせ結果に基づいて、変更後の前記自動入札の再登録を受け付ける再登録受け付け手段と、
を備えたことを特徴とするオークション支援装置。
【産業上の利用可能性】
【００７９】
以上のように、本発明にかかるオークション支援プログラムは、例えば、車輌のオークションに対して有用である。
【図面の簡単な説明】
【００８０】
【図１】本発明にかかる一実施例の構成を示すブロック図である。
【図２】図１に示した個別車輌情報ＤＢ１４1を示す図である。
【図３】図１に示した個別入札情報ＤＢ１５1を示す図である。
【図４】図１に示した総合車輌情報ＤＢ５４を示す図である。
【図５】図１に示した総合入札情報ＤＢ５５を示す図である。
【図６】同一実施例の動作を説明する図である。
【図７】同一実施例の動作を説明する図である。
【図８】同一実施例の動作を説明する図である。
【図９】同一実施例における認証画面１００を示す図である。
【図１０】同一実施例における出品車輌検索画面１１０を示す図である。
【図１１】同一実施例における車輌検索結果画面１２０を示す図である。
【図１２】同一実施例における登録画面１３０を示す図である。
【図１３】同一実施例における登録完了画面１４０を示す図である。
【図１４】同一実施例における車輌情報変更通知画面１５０を示す図である。
【図１５】同一実施例における再登録画面１６０を示す図である。
【図１６】同一実施例における再登録完了画面１７０を示す図である。
【図１７】同一実施例における再登録エラー画面１８０を示す図である。
【図１８】同一実施例の変形例の構成を示すブロック図である。
【符号の説明】
【００８１】
１０1  オークション会場装置
１１1  制御部
１４1  個別車輌情報ＤＢ
１５1  個別入札情報ＤＢ
３０1  会場端末
５０  オークション支援装置
５１  制御部
５４  総合車輌情報ＤＢ
５５  総合入札情報ＤＢ
８０1  携帯端末
【図１】
2005078435.tif 000003
【図２】
2005078435.tif 000004
【図３】
2005078435.tif 000005
【図４】
2005078435.tif 000006
【図５】
2005078435.tif 000007
【図６】
2005078435.tif 000008
【図７】
2005078435.tif 000009
【図８】
2005078435.tif 000010
【図９】
2005078435.tif 000011
【図１０】
2005078435.tif 000012
【図１１】
2005078435.tif 000013
【図１２】
2005078435.tif 000014
【図１３】
2005078435.tif 000015
【図１４】
2005078435.tif 000016
【図１５】
2005078435.tif 000017
【図１６】
2005078435.tif 000018
【図１７】
2005078435.tif 000019
【図１８】
2005078435.tif 000020